(57)【要約】【課題】回転ドラムの開口部と磁気ヘッドの間隙により磁気テープの浮上量は、磁気ヘッド上端から開口部の上端において浮上量は小さく、磁気ヘッドの下端側では大きい。そのため、磁気ヘッドの上下におけるテープ浮上量の不均衡が生じ磁気ヘッドと磁気テープの良好な接触状態が得られないことが課題であった。【解決手段】開口部の磁気ヘッド上方部に突起部を設けることにより、磁気ヘッドの上下における浮上量の均衡をとり磁気テープと磁気ヘッドの接触状態を安定させ、良好な接触状態が得られる。【選択図】図１
2006260642.tif 000002
【特許請求の範囲】
【請求項１】
磁気テープを案内する固定ドラムと、前記固定ドラムに対し同軸的に設けられ前記磁気テープが巻き回される回転ドラムと、前記回転ドラムに設けられた開口部と、前記開口部に設けられかつ前記開口部の内壁に対して間隙を介した位置に配されるとともに前記磁気テープと摺動する磁気ヘッドと、前記開口部における前記磁気ヘッドの上方部に設けられた突起部とを備え、前記突起部は、前記磁気ヘッドに対して間隙を有して配されるとともに、前記突起部下端と前記磁気ヘッド上端との間隙寸法は前記磁気ヘッド下端と前記固定ドラム上端との間の間隙寸法よりも小さくなるようにしたことを特徴とする回転ドラム装置。
【請求項２】
突起部は、その下端の幅を、開口部の幅と同じとしたことを特徴とする請求項１記載の回転ドラム装置。
【請求項３】
突起部は、その下端の幅を、磁気テープと磁気ヘッドの周方向の摺動幅と同じ幅としたことを特徴とする請求項１記載の回転ドラム装置。
【請求項４】
突起部は、開口部における磁気ヘッドの上方部と、前記開口部における磁気テープ下流側の磁気ヘッド側方部とに形成したことを特徴とする請求項１記載の回転ドラム装置。
【請求項５】
突起部は、開口部を形成している部材に対して別部材で構成したことを特徴とする請求項１〜４記載の回転ドラム装置。
【発明の詳細な説明】
【技術分野】
【０００１】
本発明は、ＶＴＲ等の磁気テープを走行案内する回転ドラム装置に関するものである。
【背景技術】
【０００２】
近年の小型ビデオカメラなどに使用される回転ドラム装置は、磁気テープを走行案内する固定ドラムと、前記固定ドラムに対し同軸的に設けられ前記磁気テープが巻き回される回転ドラムと、前記回転ドラムに設けられた開口部と、前記開口部に設けられ前記磁気テープと摺動する磁気ヘッドが設けられている。（例えば特許文献１参照）。
【０００３】
以下に従来の回転ドラム装置について説明する。
【０００４】
図７は、従来の回転ドラム装置１３の側面図を示す。１は磁気テープ２を走行案内する固定ドラム、略円筒形状を成しており、その外周側面には磁気テープ２が巻き回される。本実施の形態では固定ドラム１はアルミダイキャストで構成されているが、材質についてはこれに限定されるものではない。また、磁気テープ２を回転ドラム装置１３に巻き回した際に、磁気テープ２の下端を当接させることにより、磁気テープ２の下方向の位置規制を行う段差部（リード部）を、外周面に形成している。
【０００５】
２は映像信号や音声信号などの各種情報を記録または再生可能なテープ状記録媒体である磁気テープで、本実施の形態ではデジタルビデオカメラに一般に利用される、テープ幅６．３５ｍｍのメタル蒸着テープを用いたが、磁気テープの仕様についてはこれに限定されるものではない。また、記録される信号のフォーマットも、特に限定されるものではない。
【０００６】
３は固定ドラム１に同軸的に設けられ、かつ磁気テープ２が巻き回される回転ドラムで、略円筒形状を成しており、その外周側面には磁気テープ２が巻き回される。本実施の形態では、材質はアルミダイキャストで構成されているが、材質についてはこれに限定されるものではない。
【０００７】
５は回転ドラム３の外周側面における下端近傍に設けられた開口部で、後述する磁気ヘッド４を内在させるためのものであり、少なくとも磁気ヘッド４の配置数と同数設けられる。開口部５の大きさは、図９に示すように少なくとも磁気ヘッド４を内在可能な大きさが必要であるとともに、磁気ヘッド４と回転ドラム３との間に所定の空間を有するような大きさが必要である。なお、５ａは磁気ヘッド４の上部、５ｂはヘッド４の下部に相当する位置に配された開口部である。
【０００８】
４は開口部５に設けられ磁気テープ２と摺動する磁気ヘッドで、磁気テープ２に対して映像信号や音声信号などの各種情報を記録したり、磁気テープ２に記録された各種情報を再生したりすることができる。磁気ヘッド４は、開口部５において、図９に示すように開口部５の略中央に配されている。
【０００９】
６は回転ドラム３の外周側面に設けられた１つ又は複数の溝で、回転ドラム３の回転方向と略平行に設けられている。
【００１０】
７は回転ドラムの回転方向を示す矢印である。回転ドラム３が矢印７方向へ回転することによって、磁気テープ２と磁気ヘッド４が摺動する間に、映像及び音声等の情報が記録される。また、記録済みの磁気テープ２であれば、上述と同じ動作で映像及び音声等の記録情報を再生することができる。
【００１１】
１３は、固定ドラム１、回転ドラム３、磁気ヘッド４、開口部５、溝６からなる回転ドラム装置である。
【００１２】
図８は、回転ドラム装置１３の開口部５の中央部近傍の断面図であり、図９中のＹ−Ｙ部の断面を示しており、磁気ヘッド４近傍での磁気テープ２の浮上状態を示すものである。本図では説明の便宜上、磁気ヘッド４近傍のみ示した要部断面図とした。図９は、回転ドラム装置１３の開口部５を正面から見た時の側面図を示す。
【００１３】
以上のように構成された従来の回転ドラム装置１３について以下にその動作について説明する。
【００１４】
まず、テープカセット内に配された磁気テープを、別途設けられたローディングポストなどのテープローディング手段（図示せず）を用いて、テープカセット内から引き出し、回転ドラム装置１３の外周側面に巻き回す。巻き回しが完了した状態が図７である。図示のように、磁気テープ２は回転ドラム装置１３の外周側面に対して斜めに巻き回され、その時の磁気テープ２の下端は固定ドラム１の外周側面に設けられた段差部によって、位置規制されている。
【００１５】
次に、別途設けられたモータなどの駆動手段（図示せず）によって回転ドラム３が矢印７方向へ回転される。かつ、磁気テープ２がキャプスタンやリール台駆動手段などのテープ走行手段（図示せず）によって正方向へ走行駆動されることにより、磁気テープ２と磁気ヘッド４が摺動する。その間に、磁気ヘッド４に内部の信号処理回路等から供給される映像及び音声等の情報が、磁気テープ２の記録面に斜めトラックとして記録される。
【００１６】
また、記録済みの磁気テープ２であれば、上述と同じ動作で映像及び音声等の記録情報を再生することができる。
【００１７】
磁気テープ２に対する情報の記録再生の際、磁気ヘッド４は矢印７に示す方向に磁気テープ２の記録面上を摺動する。
【特許文献１】特開２００２−３０４７９２号公報（図７、図８、図９）
【発明の開示】
【発明が解決しようとする課題】
【００１８】
従来の回転ドラム装置では、回転ドラム３の周面に磁気テープ２が巻き回される。この、回転ドラム３が回転することにより回転ドラム３と磁気テープ２の間に空気層が発生し、その空気層の厚さは磁気テープ２の入側ほど大きい。そこで、磁気テープ２の入側の浮上を抑制するために回転ドラム３の周面方向に沿って溝６を設けている。
【００１９】
しかしながら、溝６により磁気テープ２の入側での浮上を抑制する効果はあるものの、磁気テープ２の磁気ヘッド４に対するヘッドタッチを改善するものではない。
【００２０】
すなわち、開口部５に設けられた磁気ヘッド４近傍における磁気テープ２の浮上量は、図８に示すように、磁気ヘッド４の上方部（図中５ａにて示す部分）は小さく、下方部（図中５bにて示す部分）は大きい。そのため、磁気ヘッド４と磁気テープ２の接触状態が不安定となり、良好なヘッドタッチが得られないことがある。
【００２１】
本発明は、上記従来の課題を解決するもので、磁気テープ２と磁気ヘッド４の接触状態を安定させ、良好なヘッドタッチを得ることのできる回転ドラム装置を提供することを目的とする。
【課題を解決するための手段】
【００２２】
この発明は、前記目的を達成するために、磁気テープを案内する固定ドラムと、前記固定ドラムに対し同軸的に設けられ前記磁気テープが巻き回される回転ドラムと、前記回転ドラムに設けられた開口部と、前記開口部に設けられかつ前記開口部の内壁に対して間隙を介した位置に配されるとともに前記磁気テープと摺動する磁気ヘッドと、前記開口部における前記磁気ヘッドの上方部に設けられた突起部とを備え、前記突起部は、前記磁気ヘッドに対して間隙を有して配されるとともに、前記突起部下端と前記磁気ヘッド上端との間隙寸法は前記磁気ヘッド下端と前記固定ドラム上端との間の間隙寸法よりも小さくなるようにしたことにより、磁気テープと磁気ヘッドの接触状態を安定させ、良好なヘッドタッチを得ることのできる回転ドラム装置を提供することができる。
【発明の効果】
【００２３】
以上のように本発明は、開口部の磁気ヘッド上方部に突起部を設けることにより、磁気テープと磁気ヘッドの接触状態を安定させ、良好なヘッドタッチを得るという効果が得られる。したがって、小型ビデオカメラに採用した場合には高画質、高音質等の高性能化に寄与できるという効果がある。
【００２４】
また、突起部を、開口部における磁気ヘッド上方部及び側方部に設けることにより、さらに、磁気テープと磁気ヘッドの接触状態を安定させ、良好なヘッドタッチを得るという効果が得られる。
【発明を実施するための最良の形態】
【００２５】
本発明の請求項１に記載の発明は、磁気テープを案内する固定ドラムと、前記固定ドラムに対し同軸的に設けられ前記磁気テープが巻き回される回転ドラムと、前記回転ドラムに設けられた開口部と、前記開口部に設けられかつ前記開口部の内壁に対して間隙を介した位置に配されるとともに前記磁気テープと摺動する磁気ヘッドと、前記開口部における前記磁気ヘッドの上方部に設けられた突起部とを備え、前記突起部は、前記磁気ヘッドに対して間隙を有して配されるとともに、前記突起部下端と前記磁気ヘッド上端との間隙寸法は前記磁気ヘッド下端と前記固定ドラム上端との間の間隙寸法よりも小さくなるようにしたものであり、これにより、磁気テープと磁気ヘッドの接触状態を安定させ、良好なヘッドタッチを得ることのできる回転ドラム装置を提供するという目的を、開口部の磁気ヘッド上方部に突起部を設けることにより実現した。
【００２６】
（実施の形態１）
図１は、本発明の形態１における回転ドラム装置８の側面図を示す。また、図２は、回転ドラム装置８の開口部５中央の上下断面図で、図３中のＺ−Ｚ部の断面を示しており、ヘッド４近傍での磁気テープ２の浮上状態を示す。図３は、回転ドラム装置８の開口部５の側面図を示す。
【００２７】
まず、図１を説明すると、１は磁気テープ２を走行案内する固定ドラム、略円筒形状を成しており、その外周側面には磁気テープ２が巻き回される。本実施の形態では固定ドラム１はアルミダイキャストで構成されているが、材質や製法については限定されるものではない。また、磁気テープ２を回転ドラム装置８に巻き回した際に、磁気テープ２の下端を当接させることにより、磁気テープ２の下方向の位置規制を行う段差部（リード部）を、外周面に形成している。
【００２８】
２は映像信号や音声信号などの各種情報を記録または再生可能なテープ状記録媒体である磁気テープで、本実施の形態ではデジタルビデオカメラに一般に利用される、テープ幅６．３５ｍｍのメタル蒸着テープを用いたが、磁気テープの仕様についてはこれに限定されるものではない。また、記録される信号のフォーマットも、特に限定されるものではない。
【００２９】
３は固定ドラム１に同軸的に設けられ、かつ磁気テープ２が巻き回される回転ドラムで、略円筒形状を成しており、その外周側面には磁気テープ２が巻き回される。本実施の形態では、材質はアルミダイキャストで構成されているが、材質についてはこれに限定されるものではない。
【００３０】
５は回転ドラム３の外周側面における下端近傍に設けられた開口部で、後述する磁気ヘッド４を内在させるためのものであり、少なくとも磁気ヘッド４の配置数と同数設けられる。開口部５の大きさは、図３に示すように少なくとも磁気ヘッド４を内在可能な大きさが必要であるとともに、磁気ヘッド４と回転ドラム３との間に所定の空間を有するような大きさが必要である。なお、５ａは磁気ヘッド４の上部、５ｂはヘッド４の下部に相当する位置に配された間隙である。
【００３１】
４は開口部５に設けられ磁気テープ２と摺動する磁気ヘッドで、磁気テープ２に対して映像信号や音声信号などの各種情報を記録したり、磁気テープ２に記録された各種情報を再生したりすることができる。開口部５は、図２及び図３に示すように、開口部５の磁気ヘッド４の上方部に突起部９を設け、磁気ヘッド４の上下の空間である間隙５ａ及び５bの、縦方向幅寸法が異なるように配され、少なくとも間隙５bよりも間隙５ａの寸法の方が小さくなるように構成されている。
【００３２】
６は回転ドラム３の外周側面に設けられた１つ又は複数の溝で、回転ドラム３の回転方向と略平行に設けられている。
【００３３】
７は回転ドラムの回転方向を示す矢印である。回転ドラム３が矢印７方向へ回転することによって、磁気テープ２と磁気ヘッド４が摺動する間に、映像及び音声等の情報が記録される。また、記録済みの磁気テープ２であれば、上述と同じ動作で映像及び音声等の記録情報を再生することができる。
【００３４】
８は固定ドラム１、回転ドラム３、磁気ヘッド４、開口部５、溝６からなる回転ドラム装置である。なお、本実施の形態では、１つの固定ドラム１と１つの回転ドラム３とを同軸に配した構成としているが、２つの固定ドラムの間に１つの回転ドラムを配した回転ドラム装置（上から、固定ドラム−回転ドラム−固定ドラムの順に同軸配置）であっても構わない。
【００３５】
９は図２及び図３に示すように開口部５の略中央上方部に設けた突起部であり、下方向（磁気ヘッド４が位置する方向）へ突出するように設けられている。また、突起部９は、少なくとも磁気ヘッド４のギャップ（図示していないが、一般には磁気ヘッド４のテープ摺動面の略中央に配される）近傍に近接するように配される。本実施の形態では、略円弧状にしたがこの形状に限定されるものではない。
【００３６】
以上のように構成された本実施の形態の回転ドラム装置について、以下その動作について説明する。
【００３７】
まず、テープカセット内に配された磁気テープを、別途設けられたローディングポストなどのテープローディング手段（図示せず）を用いて、テープカセット内から引き出し、回転ドラム装置８の外周側面に巻き回す。巻き回しが完了した状態が図１である。図示のように、磁気テープ２は回転ドラム装置８の外周側面に対して斜めに巻き回され、その時の磁気テープ２の下端は固定ドラム１の外周側面に設けられた段差部によって、位置規制されている。
【００３８】
次に、別途設けられたモータなどの駆動手段（図示せず）によって回転ドラム３が矢印７方向へ回転される。かつ、磁気テープ２がキャプスタンやリール台駆動手段などのテープ走行手段（図示せず）によって正方向へ走行駆動されることにより、磁気テープ２と磁気ヘッド４が摺動する。その間に、磁気ヘッド４に内部の信号処理回路等から供給される映像及び音声等の情報が、磁気テープ２の記録面に斜めトラックとして記録される。
【００３９】
また、記録済みの磁気テープ２であれば、上述と同じ動作で映像及び音声等の記録情報を再生することができる。
【００４０】
磁気テープ２に対する情報の記録再生の際、磁気ヘッド４は矢印７に示す方向に磁気テープ２の記録面上を摺動する。
【００４１】
ここで、図２及び図３に示すように開口部５の磁気ヘッド４の上方部に突起部９を設けることにより、間隙５ｂの縦方向寸法よりも間隙５ａの縦方向寸法を小さくすることでき、間隙５ａにおいて発生する負圧による磁気テープ２の吸い込み量を低下させ、かつ間隙５ｂ側の浮上量も抑えることができる。よって結果的に、磁気ヘッド４に対する磁気テープ２の接触状態を、磁気ヘッド４の上方部と下方部とでほぼ同じにすることができ、いわゆる「片当たり状態」を低減させることができる。
【００４２】
これにより、従来、磁気テープ２の浮上量は、磁気ヘッド４の上方部は小さく、下方部は大きく、そのため、磁気ヘッド４と磁気テープ２の接触状態が不安定となり良好なヘッドタッチが得られないことがあるという影響を排除し、磁気テープ２と磁気ヘッド４の接触状態を安定させ良好なヘッドタッチを得るという効果が得られる。
【００４３】
以上のように本実施形態によれば、磁気ヘッドと磁気テープの接触状態を安定させ良好なヘッドタッチが得られる回転ドラム装置を得ることができる。
【００４４】
（実施の形態２）
以下、本発明の実施の形態２について説明する。
【００４５】
本実施の形態の特徴は、図４に示すように開口部５の上方に、開口部５の幅と同じ突起部１０を設けることにより、実施形態１と同様の効果を得ることができるものである。
【００４６】
また、突起部１０は、回転ドラム３に加工で形成されても良いし、または回転ドラム３と同一材料または摺動性を有する樹脂等のように別部材として構成し、接着や圧入等の化学的、物理的固定を行っても同様の効果が得られる。
【００４７】
また、突起部１０の表面（テープ摺動面）は、回転ドラム３の表面（テープ摺動面）と面一になるように構成されている。
【００４８】
なお、突起部１０の下端と磁気ヘッド４の上端との間に介在する間隙５ａの寸法が、磁気ヘッド４の下端と固定ドラム１の上端との間に介在する間隙５ｂの寸法よりも、小さくなるように間隙５ａ及び５ｂの寸法を設定した点については、実施の形態１と同様の考え方である。
【００４９】
以上のように本実施形態によれば、磁気ヘッドと磁気テープの接触状態を安定させ良好なヘッドタッチが得られる回転ドラム装置を得ることができる。
【００５０】
（実施の形態３）
以下、本発明の実施の形態３について説明する。
【００５１】
本実施の形態の特徴は、図５に示すように開口部５の上方に突起部１１を設け、その突起部１１の下端幅寸法が、磁気テープ２と磁気ヘッド４の周方向の摺動幅と略同一幅となるように構成したことにより、前記実施形態１と同様の効果を得ることである。
【００５２】
突起部１１は、図５に示すように本実施の形態では台形としたが、この形状に限定されるものではない。少なくとも、突起部１１の下端（磁気ヘッド４に最も近接した部位）の幅寸法が、磁気ヘッド４における磁気テープ２との摺動幅と略同一寸法であればよい。磁気ヘッド４の先端は略円弧形状となっており、この先端部位において磁気テープ２が実際に摺動するのは、前記円弧形状の全幅に渡って摺動するのではなく、一般には前記円弧形状の先端近傍（ギャップ近傍）に限られる。よって、図５に示すように、本実施の形態の突起部１１の下端幅寸法が、磁気ヘッド４におけるテープ摺動幅と略同一寸法であることに限られるとすると、突起部１１の下端幅寸法（図中の底辺幅寸法）は、磁気ヘッド４の全幅寸法よりも小さくなる。
【００５３】
また、突起部１１は、回転ドラム３に加工で形成されても良いし、または、回転ドラム３と同一材料または摺動性を有する樹脂等の別部材として構成し接着や圧入等の化学的、物理的固定を行っても同様の効果が得られる。
【００５４】
また、突起部１１の表面（テープ摺動面）は、回転ドラム３の表面（テープ摺動面）と面一になるように構成されている。
【００５５】
なお、突起部１１の下端と磁気ヘッド４の上端との間に介在する間隙５ａの寸法が、磁気ヘッド４の下端と固定ドラム１の上端との間に介在する間隙５ｂの寸法よりも、小さくなるように間隙５ａ及び５ｂの寸法を設定した点ついては、実施の形態１と同様の考え方である。
【００５６】
以上のように本実施形態によれば、磁気ヘッドと磁気テープの接触状態を安定させ良好なヘッドタッチが得られる回転ドラム装置を得ることができる。
【００５７】
（実施の形態４）
以下、本発明の実施の形態４について説明する。
【００５８】
本実施の形態の特徴は、図６に示すように開口部５の上部及び側部（回転ドラムの回転方向前方側）に、突起部１２を形成したことにより、前記実施形態１と同様の効果を得ることである。
【００５９】
図において、５ｃは開口部５における側部（回転ドラムの回転方向前方側）に設けられた間隙で、磁気ヘッド４の側部と突起部１２との間に介在している部分である。５ｄは開口部５における側部（回転ドラムの回転方向後方側）に設けられた間隙で、磁気ヘッド４の側部と回転ドラム３との間に介在している部分である。間隙５ｃは、突起部１２によってその幅寸法が小さく制限され、少なくとも間隙５ｄの幅寸法よりも小さくなるように形成されている。
【００６０】
突起部１２は、図６に示すように、開口部５の上部及び側部に形成されており、磁気テープを磁気ヘッド４に摺接した際に、間隙５ａ及び５ｃにおける磁気テープの吸い込み量を低減（浮上量を大きく）させている。本実施の形態では、図示のように開口部５の上部及び側部に渡って、略L字状に連続的に形成しているが、必ずしもこの形状（L字状）にする必要はなく、連続的に形成する必要もない。少なくとも、突起部１２の上部は、その下端が磁気ヘッド４のギャップ（図示せず）近傍に形成されていればよく、また突起部１２の側部は、磁気ヘッド４の側部近傍に形成されていればよい。
【００６１】
また、突起部１２の表面（テープ摺動面）は、回転ドラム３の表面（テープ摺動面）と面一になるように構成されている。
【００６２】
また、突起部１２は、回転ドラム３に加工で形成されても良いし、または、回転ドラム３と同一材料または摺動性を有する樹脂等の別部材として構成し接着や圧入等の化学的、物理的固定を行っても同様の効果が得られる。
【００６３】
なお、突起部１２の下端と磁気ヘッド４の上端との間に介在する間隙５ａの寸法が、磁気ヘッド４の下端と固定ドラム１の上端との間に介在する間隙５ｂの寸法よりも、小さくなるように間隙５ａ及び５ｂの寸法を設定した点ついては、実施の形態１と同様の考え方である。
【００６４】
以上のように本実施形態によれば、開口部５の上部及び側部に形成されており、磁気テープを磁気ヘッド４に摺接した際に、間隙５ａ及び５ｃにおける磁気テープの吸い込み量を低減（浮上量を大きく）させている。よって、間隙５ａと５ｂとが略同量の吸い込み量（浮上量）を生じさせ、また間隙５ｃと５ｄとが略同量の吸い込み量（浮上量）を生じさせている。したがって、磁気ヘッドと磁気テープの接触状態を安定させ良好なヘッドタッチが得られる回転ドラム装置を得ることができる。
【産業上の利用可能性】
【００６５】
本発明にかかる回転ドラム装置は、小型ビデオカメラなどに有用であり、磁気ヘッドと磁気テープの接触状態を安定させ良好なヘッドタッチが得られる。したがって画質、音声の高性能化に回転ドラム装置を得ることができる。
【図面の簡単な説明】
【００６６】
【図１】本発明の実施の形態１に於ける回転ドラム装置の側面図
【図２】本発明の実施の形態１に於ける回転ドラム装置における図３中Ｚ−Ｚ部の断面図
【図３】本発明の実施の形態１に於ける回転ドラム装置の開口部の側面図
【図４】本発明の実施の形態２に於ける回転ドラム装置の開口部の側面図
【図５】本発明の実施の形態３に於ける回転ドラム装置の開口部の側面図
【図６】本発明の必死の形態４に於ける回転ドラム装置の開口部の側面図
【図７】従来の回転ドラム装置の側面図
【図８】従来の回転ドラム装置における図９中Ｙ−Ｙ部の断面図
【図９】従来の回転ドラム装置の開口部の側面図
【符号の説明】
【００６７】
１    固定ドラム
２    磁気テープ
３    回転ドラム
４    磁気ヘッド
５    開口部
６    溝
７    回転方向
８，１３    回転ドラム装置
９，１０，１１，１２    突起部
【図１】
2006260642.tif 000003
【図２】
2006260642.tif 000004
【図３】
2006260642.tif 000005
【図４】
2006260642.tif 000006
【図５】
2006260642.tif 000007
【図６】
2006260642.tif 000008
【図７】
2006260642.tif 000009
【図８】
2006260642.tif 000010
【図９】
2006260642.tif 000011